(57)【要約】【課題】実際の消火作業に伴う確かな消火器の使用に係わる信号が得られ通報装置および火災通報システムを提供する。【解決手段】消火器内部の消火剤を外部へ放出するための操作を検出する放出操作検出手段と、その放出操作検出手段の検出信号を無線信号として送信する無線送信手段と、これら手段への電源を供給する電池とが筐体内に一体として収容され、この筐体を消火器に取り付け固定する取付け手段を具備させて通報装置とし、さらに、この通報装置からの無線信号を個人用緊急通報システムで受信して所定の通報先へ通報する火災通報システムとした。【選択図】  図１
2004275575.tif 000002
【特許請求の範囲】
【請求項１】
消火器内部の消火剤を外部へ放出するための操作を検出する放出操作検出手段と、該放出操作検出手段の検出信号を無線信号として送信する無線送信手段と、これら手段への電源を供給する電池とが筐体内に一体として収容され、該筐体を消火器に取り付け固定する取付け手段を具備したことを特徴とする通報装置。
【請求項２】
放出操作検出手段として、消火器の安全栓が取り外されたことを検出する手段とした請求項１に記載の通報装置。
【請求項３】
消火器の安全栓が取り外されたことを検出する手段として、放出操作検出手段の検出端子間を引き外し自在に開路あるいは閉路する導通線を、安全栓の指掛け部に挿通した請求項２に記載の通報装置。
【請求項４】
放出操作検出手段として、消火器の起動レバーが起動位置になったことを検出する手段とした請求項１に記載の通報装置。
【請求項５】
消火器の起動レバーが起動位置になったことを検出する手段として、起動レバーの移動に伴って放出操作検出手段の検出端子間が開路あるいは閉路されるようにした請求項４に記載の通報装置。
【請求項６】
取付け手段として、消火器の所定の部位をねじ止め挾持することにより取り付けるようにした請求項１に記載の通報装置。
【請求項７】
消火器内部の消火剤を外部へ放出するための操作を検出する放出操作検出手段と、該放出操作検出手段の検出信号を無線信号として送信する無線送信手段と、これら手段への電源を供給する電池とが筐体内に一体として収容され、該筐体を消火器に取り付け固定する取付け手段を具備した通報装置から送信される無線信号を、個人用緊急通報システムにおける受信機で受信し、該受信機を介して所定の通報先に通報するようにしたことを特徴とする火災通報システム。
【発明の詳細な説明】
【０００１】
【発明の属する技術分野】
本発明は、消火器使用と連動して通報を行う通報装置および火災通報システムに関するものである。
【０００２】
【従来の技術】
従来より、消火器と連動した火災通報システムが提案されている。
例えば、内部が空洞の本体に開閉自在の扉体を設け、この扉体の内側に消火器を支持する支持台を形成した消火器ポールとし、支持台には消火器の存在を検知する検知器が設けられ、消火器の取り出しによる消火器の不在を検知すると、消防署などに通報し、火災発生時における消火器の使用状態が自動的に消防署などに通報されるようにしたものがある（例えば、特許文献１参照）。
【０００３】
また、消火器ケースに消火器が取り出されたことを検知する検知手段を設け、取り出されたことを検知すると、検知手段はその識別信号を集中管理装置に無線で送信するようにし、火災時には詳しい発生場所が直ぐに分かるようにしたものもある（例えば、特許文献２参照）。
【０００４】
【特許文献１】
実開平６−１９７５２号公報（第２図）
【特許文献２】
特開平９−１６７２９１号公報（第２−３頁、第２図）
【０００５】
【発明が解決しようとする課題】
ところが、上記のような消火器と連動した火災通報システムでは、消火器の取り出しにより通報が行われるため、例えば事前に通報禁止の処置をとることなく、消火器の交換あるいは単に消火器を移動させるために消火器を取り出したような場合にも、通報が行われるため、思わぬ混乱を招く虞があった。また、事前に通報禁止の処置を執ったとしても、消火器の交換あるいは移動の作業が終わった後に通報禁止処置の解除を忘れ、自動通報の機能が十分に果たされない虞もあった。
【０００６】
【課題を解決するための手段】
本発明は、消火器内部の消火剤を外部へ放出するための操作を検出する放出操作検出手段と、その放出操作検出手段の検出信号を無線信号として送信する無線送信手段と、これら手段への電源を供給する電池とが筐体内に一体として収容され、この筐体を消火器に取り付け固定する取付け手段を具備した通報装置を提供することにより上記課題を解決したものである。
【０００７】
また、本発明は、上記放出操作検出手段として、消火器の安全栓が取り外されたことを検出する手段としたことにより上記課題を解決したものである。
【０００８】
また、本発明は、上記消火器の安全栓が取り外されたことを検出する手段として、放出操作検出手段の検出端子間を引き外し自在に開路あるいは閉路する導通線を、安全栓の指掛け部に挿通して、上記課題を解決したものである。
【０００９】
また、本発明は、上記放出操作検出手段として、消火器の起動レバーが起動位置になったことを検出する手段としたことにより上記課題を解決したものである。
【００１０】
また、本発明は、消火器の起動レバーが起動位置になったことを検出する手段として、起動レバーの移動に伴って放出操作検出手段の検出端子間が開路あるいは閉路されるようにして、上記課題を解決したものである。
【００１１】
また、本発明は、取付け手段として、消火器の所定の部位をねじ止め挾持することにより取り付けるようにしたことにより上記課題を解決したものである。
【００１２】
また、本発明は、消火器内部の消火剤を外部へ放出するための操作を検出する放出操作検出手段と、その放出操作検出手段の検出信号を無線信号として送信する無線送信手段と、これら手段への電源を供給する電池とが筐体内に一体として収容され、この筐体を消火器に取り付け固定する取付け手段を具備した通報装置から送信される無線信号を、個人用緊急通報システムにおける受信機で受信し、この受信機を介して消防署等の所定の通報先に通報するようにした火災通報システムとすることにより上記課題を解決したものである。
【００１３】
【発明の実施の形態】
本発明の通報装置１は、図１および図２に示されるように、消火器内部の消火剤を外部へ放出するための操作を検出する放出操作検出手段と、その放出操作検出手段の検出信号を無線信号として送信する無線送信手段と、これら手段への電源を供給する電池とが筐体２内に一体として収容され、消火器３の起動レバー４と消火器本体容器５との間にねじ６によりねじ止め挾持することによって取り付けられる。ここで、図１は本発明による通報装置１を消火器３に取り付けた状態において横方向から見た図であり、図２は同様の状態において上方向から見た図である。
【００１４】
上記消火器３の所定の部位にねじ止め挾持することにより取り付ける手段が、筐体２を消火器に取り付け固定するための取付け手段を構成している。本発明による通報装置１は、放出操作検出手段として、下記に述べるように消火器の安全栓が取り外されたこと、あるいは、消火器の起動レバーが起動位置になったことを検出するようにしている。これを実施するには、通報装置１の筐体２を消火器３の起動レバー４近辺に取り付けるのが好都合である。発明者の知る限り、この起動レバー４と消火器本体容器５との間には、何れのメーカーの消火器であっても若干の長さを有する連結部７がある。そこで、この連結部７を挾持するように通報装置の筐体２に設けられた凹部８をあてがい、ねじ６を締め付けることにより、簡単に取り付けることができるようにした。この際、通報装置の筐体２に設けられた凹部８の幅に若干の余裕を持たせると、いろいろな太さの連結部に対応することが出来るので更に便利である。
【００１５】
通報装置１は、図３のブロック図に示すような構成となっている。すなわち、筐体２内には、少なくとも、放出操作検出手段の検出信号を生成するマイコンＭと、このマイコンＭにクロック信号を供給する振動子Ｏと、マイコンＭから送られる検出信号を無線信号にして送信する無線送信手段としての送信回路Ｔと、この送信回路Ｔに接続されたアンテナＡと、これらマイコンＭ並びに送信回路Ｔに電源を供給する電池Ｅと、一方がマイコンＭのデータ入力側に接続され、他方が電源線路に接続された一対の検出端子Ｔ１，Ｔ２とが収容されている。
【００１６】
図３に示した通報装置では、消火器３の安全栓９の指掛け部１０に引き外し自在に挿通された導電性の検出線１１によって、上記一対の検出端子Ｔ１，Ｔ２間を閉路するようにした。したがって、安全栓９が引き抜かれていない未使用時においては、マイコンＭのデータ入力側と電源線路とが閉路した状態にあり、また、安全栓９が引き抜かれて検出線１１が取り外されたときには、マイコンＭのデータ入力側と電源線路とが開路した状態となる。この状態をマイコンＭが検出することにより、検出信号を生成する。
【００１７】
なお、図３に示したような検出端子Ｔ１，Ｔ２は、各検出端子内にそれぞれ２つの接点ｔ１，ｔ２を有しているため、検出線１１による導通を取ることなく、この接点ｔ１，ｔ２の一方がマイコンＭのデータ入力側に、また、他方が電源線路に接続されるようにしておき、検出線１１のプラグ１２が挿入された状態では両接点ｔ１，ｔ２間が閉路され、プラグ１２が取り外された状態では両接点ｔ１，ｔ２間が開路されるようにしてもよい。
【００１８】
また、プラグが挿入されたときには両接点間が開路し、取り外されたときには閉路するタイプの検出端子を用いれば、上記とは反対に、安全栓９が引き抜かれていない未使用時においては、マイコンＭのデータ入力側と電源線路とが開路した状態にあり、また、安全栓９が引き抜かれて検出線１１が取り外されたときには、マイコンＭのデータ入力側と電源線路とが閉路した状態となるようにすることもできる。この場合、安全栓９の状態におけるマイコンＭへの入力信号は、上記実施態様とは逆となるが、どちらの入力信号をもって検出信号とするかはマイコンにおける処理手順の設定に依存するだけの問題である。
【００１９】
つぎに、本発明による通報装置１の外観を、図４、図５および図６に示す。ここで、図４は通報装置１を横方向から見た図であり、図５は上方向から見た図であり、図６は前方向から見た図である。
【００２０】
図５からもわかるように、本発明による通報装置１は、胴部１３と、この胴部１３の両側から伸びる２本の腕部１４，１５からなるほぼ馬蹄形状をした筐体２からなっている。筐体２の内部はくり抜かれて、やはり馬蹄形状の空間が形成されており、この空間内に図３においてブロック図により示した回路が形成された回路基板１６が収容されている。なお、これら図においては、本発明の説明において重要と思われるもの以外は、回路を形成する細かな構成素子の描写は省略されている。
【００２１】
筐体２の両腕部１４，１５には、筐体２を消火器へ取り付け固定する取付け手段として、一対のねじ６が対向して設けられており、腕部１４，１５の外側よりこのねじ６を締め付けたり、緩めたりすることにより、矢印によって示される一対のねじ６間に形成される隙間Ｓの間隔を調整することができるようになっている。筐体２を消火器に取り付けるには、予めねじ６を緩めておき、その隙間Ｓを十分に広いものとしておく。つぎに、この隙間Ｓに消火器３の起動レバー４と消火器本体容器５との間に形成される連結部７を挿通し、ねじ６を締め付けることにより筐体２を取り付ける。したがって、筐体２に両腕部１４，１５間に形成される凹部８の幅に若干の余裕を持たせると、いろいろな太さの連結部７に対応することができる。
【００２２】
なお、上記実施態様では、ねじ６を一対設けるとしたが、一方のみに設けても、このねじ６を締め付けたり、緩めたりすることにより、ねじ６とそれに対峙する腕部の側面間に形成される隙間の間隔を調整することができるので、ねじ６は一方のみに設けるようにしてもよい。
【００２３】
両腕部１４，１５の先端内部には、検出端子Ｔ１，Ｔ２が設けられ、それに対応する筐体２表面にはプラグ挿入孔（図示ぜず）が穿たれている。各検出端子Ｔ１，Ｔ２は、それぞれ一対の接点ｔ１，ｔ２からなっており、前記回路基板１６上に設けられている。なお、ここで一対の接点としているが、接点機構の開閉を伴わないプラグとの単なる導通を取るためのものであるならば、接点は一つであっても構わない。
【００２４】
両腕部１４，１５に設けられた検出端子Ｔ１，Ｔ２には、検出線１１のプラグ１２，１２が挿入される。図４、図５および図６はプラグ１２が挿入された状態を示しており、図７はプラグ１２が取り外された状態を示している。ここで、消火作業における安全栓の引き抜き操作に支障を来してはいけないので、検出線の取り外しは小さな力でスムーズに行われるようにするため、プラグ１２に当接する接点ｔ１，ｔ２の保持力は弱く設定するのが望ましい。
【００２５】
上記のように構成された本発明による通報装置１は、図１あるいは図２に示すように、筐体２に設けられた凹部８を消火器３の連結部７にあてがい、ねじ６を締め付けることにより挾持させて取り付ける。つぎに、消火器３の安全栓９の指掛け部１０に検出線１１を挿通し、その両端のプラグ１２，１２を検出端子Ｔ１，Ｔ２に挿入して接続する。
【００２６】
このように通報装置１が装着された消火器３を用いて消火作業を行うには、通常の消火器を用いるのと全く同様に、安全栓９の指掛け部１０に指を通して引き抜き、ホース１７をホース受（図示せず）から外してノズル（図示せず）を火元に向け、起動レバー４を強く握る。これにより、ノズルから消火剤が放出され、消火作業を行うことができる。
【００２７】
上記消火作業課程において、安全栓９の指掛け部１０に指を通して引き抜いた際に、この指掛け部１０に挿通されていた検出線１１も一緒に引っ張られ、プラグ１２，１２が検出端子Ｔ１，Ｔ２から取り外される。すると、マイコンＭのデータ入力側と電源線路とが開路した状態となり、検出信号が生成される。検出信号は、マイコンＭから送信回路Ｔへと送られ、送信回路Ｔはこの検出信号をアンテナＡを介してＩＤ情報と共に外部へ送信する。
【００２８】
この検出信号は、例えば図８に示すような個人用緊急通報システムを利用して受信し、所定の通報先に通報する。すなわち、生活関連の様々な緊急情報を、複雑なシステムを構築することなく通報できる個人用緊急通報システムが最近多く使用されるようになってきており、この個人用緊急通報システムを活用して本件通報装置の通報信号を消防署等へ通報するようにした。
【００２９】
ここで言う個人用緊急通報システムとは、例えば腕時計タイプのように常時身体に装着しておいて緊急時に直ぐに発信操作できる通報装置２０とか、火災感知の信号を接続配線を不要として通報できるようにした無線式の火災感知器２１とか、あるいは、窓等に設置された防犯センサ２２からの検出信号を通報受信機２３で取り込み、非常ベル２４のような警報装置から警報を発生させると共に、公衆電話回線を介して予め登録された消防署などの通報先に音声により通報するようにしたものである。
【００３０】
この発明による消火器に取り付けた通報装置１から送られてきた検出信号は、その信号中にＩＤ情報を含んでいるため、予めＩＤ情報別に信号種別を登録しておいた通報受信機２３は、その検出信号が消火器の使用に係わる放出操作検出信号であることが判別できる。通報受信機２３は、この判別結果を受けて非常ベル２４のような警報装置から警報を発生させると共に、公衆電話回線を介して予め登録された消防署などの通報先に音声により通報する。このように個人用緊急通報システムを活用すれば、上記通報装置１を消火器３に取り付けるだけで、消火器の使用に係わる通報信号を消防署などの通報先に通報する火災通報システムを簡単に構築することができる。
【００３１】
なお、上記実施態様では、放出操作検出手段として消火器の安全栓が取り外されたことを検出するようにしたが、消火器３の起動レバー４が起動位置になったことを検出するようにしてもよい。すなわち、実際に消火作業を行う際には、上記のように消火器３の安全栓９を取り外した後に、起動レバー４を起動位置にしなければ消火剤の放出が始まらない。そこで、この起動レバー４が起動位置になったことを検出すれば、より確かな消火器の使用に係わる信号が得られる。ここで、消火器の起動レバーが起動位置になったことを検出するには、例えば起動レバー４の移動に伴って検出端子Ｔ１，Ｔ２間が開路あるいは閉路されるようにすればよい。
【００３２】
なお、この発明による通報装置は、上記のようにねじの締め付けによる挾持により、簡単に取り付けられるようにしているので、例えば窓枠等に挾持させてその検出線を窓に連結すれば、窓の開閉に伴って検出端子間が開路あるいは閉路され、簡単に防犯センサとして転用することもできる。
【００３３】
【発明の効果】
本発明による通報装置は、消火器内部の消火剤を外部へ放出するための操作を検出する放出操作検出手段と、その放出操作検出手段の検出信号を無線信号として送信する無線送信手段と、これら手段への電源を供給する電池とが筐体内に一体として収容され、この筐体を消火器に取り付け固定する取付け手段を具備したので、消火器に取り付けることにより、通報禁止の処置をとることもなく、消火器の交換あるいは単に消火器を移動させることができ、そのような場合でも通報が行われることがないので思わぬ混乱を招くことがない。また、事前に通報禁止の処置を執る必要もないので、従来のように消火器の交換あるいは移動の作業が終わった後で、通報禁止処置を解除するのを忘れるという心配もなくなる。
【００３４】
また、本発明による通報装置は、放出操作検出手段として、消火器の安全栓が取り外されたことを検出する手段、あるいは、消火器の起動レバーが起動位置になったことを検出する手段としたので、実際の消火作業に伴う確かな消火器の使用に係わる信号が得られる。
【００３５】
また、本発明による通報装置は、消火器の所定の部位にねじ止め挾持することにより取り付ける取付け手段としたので、起動レバーと消火器本体容器との連結部に簡単に取り付けることができ、また、いろいろな太さの連結部に対応することもできる。
【００３６】
さらに、本発明による火災通報システムは、消火器内部の消火剤を外部へ放出するための操作を検出する放出操作検出手段と、その放出操作検出手段の検出信号を無線信号として送信する無線送信手段と、これら手段への電源を供給する電池とが筐体内に一体として収容され、この筐体を消火器に取り付け固定する取付け手段を具備した通報装置から送信される無線信号を、個人用緊急通報システムにおける受信機で受信し、この受信機を介して消防署等の所定の通報先に通報するようにしたので、最近多く使用されるようになってきた個人用緊急通報システムを活用することができ、簡単に火災通報システムを構築することができる。
【図面の簡単な説明】
【図１】本発明の通報装置を消火器に取り付けた状態における横方向から見た図である。
【図２】本発明の通報装置を消火器に取り付けた状態における上方向から見た図である。
【図３】本発明の通報装置のブロック図である。
【図４】本発明の通報装置を横方向から見た図である。
【図５】本発明の通報装置を上方向から見た図である。
【図６】本発明の通報装置を前方向から見た図である。
【図７】本発明の通報装置において、プラグを取り外した状態で前方向から見た図である。
【図８】本発明の火災通報システムを示す図である。
【符号の説明】
１          通報装置
２          筐体
３          消火器
４          起動レバー
６          ねじ
７          連結部
８          凹部
９          安全栓
１０        指掛け部
１１        検出線
１２        プラグ
１３        胴部
１４，１５  腕部
１６        回路基板
２０        腕時計型通報装置
２１        無線式火災感知器
２２        防犯センサ
２３        通報受信機
２４        非常ベル
Ｔ１，Ｔ２  検出端子
ｔ１，ｔ２  接点
Ｍ          マイコン
Ｔ          送信回路
Ｅ          電池
【図１】
2004275575.tif 000003
【図２】
2004275575.tif 000004
【図３】
2004275575.tif 000005
【図４】
2004275575.tif 000006
【図５】
2004275575.tif 000007
【図６】
2004275575.tif 000008
【図７】
2004275575.tif 000009
【図８】
2004275575.tif 000010